(57)【特許請求の範囲】
【請求項１】
無線LANアクセスポイントと無線LANで接続された携帯端末を利用して、無線LAN対応の汎用デジタル機器に無線LANの設定を行う無線LAN設定システムにおいて、
前記アクセスポイントが、
前記携帯端末を利用して設定される無線LANに固有の通信パラメータを含む少なくとも一つの通信パラメータを広報する手段と、
前記デジタル機器との間に、前記固有の通信パラメータに基づいて無線LANの接続を設定する手段と、
無線LAN接続されるデジタル機器のWAN側への疎通許否をそのMACアドレスで管理し、前記固有の通信パラメータに基づいて無線LANの接続を設定したデジタル機器のWAN側への疎通を一時的に禁止するWAN疎通管理テーブルと、
前記デジタル機器のWAN側への疎通を前記WAN疎通管理テーブルに基づいて制御するフィルタリング制御手段と、
前記無線LAN接続の設定に応答して、前記WAN疎通管理テーブルの情報を前記携帯端末へ通知する手段とを具備し、
前記携帯端末が、
前記アクセスポイントから前記WAN疎通管理テーブルを受信する手段と、
前記WAN疎通管理テーブルでWAN側への疎通を禁止されているデジタル機器との間で無線LAN標準の再アソシエーションを試行して当該デジタル機器のMACアドレスを取得する手段と、
前記デジタル機器から取得したMACアドレスを前記アクセスポイントへ通知して疎通を要求する手段と、
前記再アソシエーションの試行相手を近接のデジタル機器に制限する手段とを具備し、
前記アクセスポイントがさらに、
前記疎通要求されたMACアドレスのWAN側への疎通が許可されるように前記WAN疎通管理テーブルを更新する手段を具備したことを特徴とする無線LAN設定システム。
【請求項２】
前記再アソシエーションの試行相手を近接のデジタル機器に制限する手段は、当該再アソシエーション試行時の電波強度を当該再アソシエーション試行時以外の無線LAN通信時よりも低下させることを特徴とする請求項１に記載の無線LAN設定システム。
【請求項３】
前記再アソシエーションの試行相手を近接のデジタル機器に制限する手段は、
当該再アソシエーションにおける受信電波強度を計測する手段と、
前記受信電波強度を所定の閾値と比較する手段とを具備し、
前記受信電波強度が前記閾値を超える試行相手との再アソシエーションを有効とすることを特徴とする請求項１に記載の無線LAN設定システム。
【請求項４】
前記固有の通信パラメータは、接続に暗号鍵が不要な無線LANの通信パラメータであり、前記アクセスポイントとデジタル機器との間には、前記固有の通信パラメータに基づいて、暗号化されていない無線LAN接続が設定されることを特徴とする請求項１に記載の無線LAN設定システム。
【請求項５】
前記携帯端末が、前記WAN疎通管理テーブルの受信に応答して、自端末を前記デジタル機器に接近させる要求メッセージを表示する手段を具備したことを特徴とする請求項１または２に記載の無線LAN設定システム。
【請求項６】
前記携帯端末が、前記アクセスポイントに対して自端末へのサーバプッシュ機能を設定する手段を具備し、
前記アクセスポイントは、前記サーバプッシュ機能を利用して前記WAN疎通管理テーブルを前記携帯端末へ送信することを特徴とする請求項１ないし３のいずれかに記載の無線LAN設定システム。
【請求項７】
前記サーバプッシュ機能を設定する手段は、前記アクセスポイントに対してHTTPリクエストメッセージを予め送信することを特徴とする請求項６に記載の無線LAN設定システム。
【請求項８】
前記携帯端末がさらに、
無線LANの切断要求操作を検知する手段と、
前記切断要求操作に応答して前記再アソシエーションを試行し、切断対象のデジタル機器からMACアドレスを取得する手段と、
前記取得したMACアドレスを含む切断要求を前記アクセスポイントへ無線LANで送信する手段とを具備し、
前記アクセスポイントがさらに、
前記切断要求で通知されたMACアドレス宛に無線LAN設定の削除要求を無線LANで送信する手段を具備し、
前記WAN疎通管理テーブルを更新する手段は、前記切断要求で通知されたMACアドレスの疎通が禁止されるように前記WAN疎通管理テーブルを更新することを特徴とする請求項１ないし５のいずれかに記載の無線LAN設定システム。
【請求項９】
前記携帯端末がモーションセンサを具備し、
前記切断要求操作を検知する手段は、携帯端末が所定の時間以上継続して振られたことが前記モーションセンサにより検知されると、これを切断要求操作と判定することを特徴とする請求項６に記載の無線LAN設定システム。
【請求項１０】
前記携帯端末は、前記再アソシエーション試行時に自端末のMACアドレスが記述されたアソシエーション解除メッセージを送信することで前記アクセスポイントとして振る舞うことを特徴とする請求項１ないし６のいずれかに記載の無線LAN設定システム。
【請求項１１】
無線LANアクセスポイントと無線LAN接続された携帯端末を利用して、無線LAN対応の汎用デジタル機器に無線LAN接続の設定を行う無線LAN設定方法において、
前記アクセスポイントが、前記携帯端末を利用して設定される無線LANに固有の通信パラメータを含む少なくとも一つの通信パラメータを広報する手順と、
前記デジタル機器が、前記固有の通信パラメータを受信して前記アクセスポイントとの間に無線LANの接続設定を行う手順と、
前記アクセスポイントが、前記固有の通信パラメータに基づいて無線LANを接続設定したデジタル機器のWAN側への疎通をWAN疎通管理テーブル上で禁止する手順と、
前記アクセスポイントが、前記デジタル機器のWAN側への疎通を前記WAN疎通管理テーブルに基づいて制御する手順と、
前記アクセスポイントが、前記無線LANの接続設定に応答して、前記WAN疎通管理テーブルの情報を前記携帯端末へ通知する手順と、
前記携帯端末が、前記アクセスポイントからWAN疎通管理テーブルを受信する手順と、
前記携帯端末が、前記WAN疎通管理テーブルにおいてWAN側への疎通を禁止されているデジタル機器との間で無線LAN標準の再アソシエーションを試行して当該デジタル機器のMACアドレスを取得し、その際、当該再アソシエーションの試行相手を近接のデジタル機器に制限する手順と、
前記携帯端末が、前記取得したMACアドレスを前記アクセスポイントへ通知して疎通を要求する手順と、
前記アクセスポイントが、前記疎通要求されたMACアドレスのWAN側への疎通が許可されるように前記WAN疎通管理テーブルを更新する手順とを含むことを特徴とする無線LAN設定方法。
【発明の詳細な説明】
【技術分野】
【０００１】
本発明は、携帯電話、PDAあるいはスマートフォンといった携帯端末を利用して無線LAN対応のデジタル機器に無線LANの接続設定や切断設定を行う無線LAN設定方法およびシステムに関する。
【背景技術】
【０００２】
近年、PCをはじめ携帯電話やポータブルゲーム機等の様々なデジタル機器への無線 LANの標準搭載が進みつつある。また、宅内の LAN環境に対するニーズも多様化しており、次世代無線LANへのアップグレードやLTE(Long Term Evolution)との連携によるFMC(Fixed Mobile Convergence)サービスの提供が求められている。
【０００３】
デジタル機器がアクセスポイントを介して他のデジタル機器と通信を実行しようとする場合、IEEE(Institute of Electrical and Electronic Engineers)802.11規格の無線通信方式では、アクセスポイントとデジタル機器との間においてアソシエーションと呼ばれる予め決められた手続きが行われ、アクセスポイントに対してデジタル機器の存在を識別させることが規定されている。このアソシエーションを行うアクセスポイントを識別するには、SSID(Service Set Identifier)と呼ばれる識別子（ネットワーク名）が用いられる。デジタル機器のユーザがアソシエーションを行いたいアクセスポイントを選択する際は、アクセスポイントおよびデジタル機器の双方で同一のSSIDを設定しておく必要がある。無線通信のユーザが、セキュリティを確保して安全に通信を行うためには、一般的には図８および以下に示した操作手順で無線LAN接続の設定を行う必要がある。
【０００４】
(1)通常画面から設定画面を表示する。 
(2)設定画面上からネットワーク設定を選択する。 
(3)周辺に存在する アクセスポイント(SSID)の存在を検索する。 
(4)検索結果に基づいて一覧表示されたSSIDの中から特定のSSIDを選択する。
(5)選択したSSIDに対応する暗号鍵(WEPキー等)を入力する。
【０００５】
また、非特許文献１には、IEEE802.11の規格において、デジタル機器とアクセスポイントとの間に、図９および以下に示した手順でアソシエーションを確立する方法が開示されている。
【０００６】
(R1)デジタル機器がプローブ要求メッセージを通してSSIDの存在を検索する。
【０００７】
(R2)プローブ要求を受信したアクセスポイントがプローブ応答を返信する。そのメッセージ中には、SSIDや暗号方式，認証方式等の通信パラメータが含まれている。
【０００８】
(R3)デジタル機器がアクセスポイントに対して認証要求を試みる。
【０００９】
(R4)アクセスポイントが所定のアルゴリズムを利用して、デジタル機器を認証するか否かを決定し、その結果をデジタル機器へ送信する。一般的には、デジタル機器のMACアドレスを識別子として認証が行われる。
【００１０】
(R5)デジタル機器は、アクセスポイントから認証されたことを確認すると、アクセスポイントにアソシエーション(接続)要求を送信する。このメッセージには、対応するSSID、サポートレート、ポーリング利用要否等の情報が含まれる。
【００１１】
(R6)アクセスポイントは、認証がなされているMACアドレスであり、かつ前記(R5)のアソシエーション要求メッセージに含まれる情報が全て自身に対応していることを確認できれば、アソシエーション応答を送信する。このとき、アクセスポイントにバッファされたフレームが配送されるべきデジタル機器を論理的に識別するため、アソシエーション識別子が割り当てられる。
【００１２】
(R7)一連の動作の後，デジタル機器はデータフレームを送信することができる。
【００１３】
しかしながら、以上のような接続設定の手順を滞りなく行うためには専門知識が必要であり、不慣れな一般ユーザが短時間で間違いなく接続設定を完了させることは難しかった。このような技術課題を解決するために、特許文献１には、前記図８を参照して説明した接続設定手順を、以下のようにデジタル機器側でのボタン操作とアクセスポイント側でのボタン操作とをほぼ同時に実行することで完了できる簡単接続設定方法が開示されている。
【００１４】
(a)アクセスポイントおよびデジタル機器の双方で、予め記憶している通信パラメータ設定用のSSIDを用いて、通信パラメータ設定用のネットワークを構築する。
(b)アクセスポイントは、そのボタンを押下されることで通信パラメータ設定モードとなり、デジタル機器も、そのボタンを押下されることで、前記SSIDを用いてアクセスポイントを検出し、ネットワークに参加する。
(c)アクセスポイントは、通常のデータ通信に使用する通信パラメータを自動生成し、通信パラメータ設定用のネットワークを利用してデジタル機器へ送信する
(d)デジタル機器は、受信した通信パラメータを自身に設定し直す。
【００１５】
このような簡単接続設定方法は、特許文献１以外にも存在し、それぞれ通信パラメータの設定方法が異なっているため、デジタル機器が複数の簡単接続設定方法に対応している場合、ユーザはどの簡単接続設定方法で設定を行うのかを選択する必要がある。不慣れな一般ユーザには、アクセスポイントが対応している簡単接続設定方法を把握し、複数ある簡単接続設定方法から一意に選択することは難しかった。
【００１６】
そこで、特許文献 ２では、各SSIDに各簡単接続設定方法を対応付けする方法が提案されている。具体的には、デジタル機器が、ビーコンやプローブ応答に含まれるSSIDを確認し、そのSSIDに紐付けられた簡単接続設定を自動的に実行することで、ユーザが複数の簡単接続設定方法から選択する手順を無くすことを可能にしている。
【００１７】
さらに、設定操作が複雑なのは接続設定に限定されるものではなく、無線LANの切断を設定(無線LANから切断)する場合も同様に、ユーザはデジタル機器を操作し、図１０および以下に示したような複雑な切断手順を踏んで設定内容(通信パラメータ)を消去する必要がある。
【００１８】
(1)通常画面から設定画面を表示する。 
(2)設定画面からネットワーク設定画面を表示する。 
(3)SSID一覧から所望のSSIDを選択する。 
(4)消去動作を実行する。
【先行技術文献】
【非特許文献】
【００１９】
【非特許文献１】Matthew Gast，"802.11無線ネットワーク管理第２版，"オライリージャパン，2006年 11月．
【特許文献】
【００２０】
【特許文献１】特開2004-215232号公報
【特許文献２】特開2007-143117号公報
【発明の概要】
【発明が解決しようとする課題】
【００２１】
上記の従来技術では、以下のような技術課題があった。
【００２２】
(1)簡単接続設定に対応したアクセスポイントやデジタル機器には、簡単接続設定用の改修が施されており、ユーザには、この簡単接続設定を機能させるための固有の操作をアクセスポイントやデジタル機器に対して行うことが要求されるので、不慣れなユーザにとっては、依然として扱いづらいという問題があった。
【００２３】
(2)簡単接続設定の各方式には互換性が無く、例えばベンダAの簡単接続設定に対応したアクセスポイントとベンダBの簡単接続設定に対応したデジタル機器との組み合わせ、あるいは簡単接続設定に対応したアクセスポイント（または、デジタル機器）と未対応のデジタル機器（または、アクセスポイント）との組み合わせでは、簡単接続設定を有効に機能させることができなかった。
【００２４】
(3)無線LANの切断設定を簡単に行える技術は存在しなかった。
【００２５】
本発明の目的は、上記した従来技術の課題を全て解決し、簡単接続設定に対応していない汎用のデジタル機器を対象に、無線LANの接続設定や切断設定を簡単に行える無線LAN設定方法およびシステムを提供することにある。
【課題を解決するための手段】
【００２６】
上記の目的を達成するために、本発明は、無線LANアクセスポイントと無線LANで接続された携帯端末を利用して、無線LAN対応の汎用デジタル機器に無線LANの設定を行う無線LAN設定システムにおいて、以下のような手段を講じた点に特徴がある。
【００２７】
(1)アクセスポイントが、携帯端末を利用して設定される無線LANに固有の通信パラメータを含む少なくとも一つの通信パラメータを広報する手段と、デジタル機器との間に、前記固有の通信パラメータに基づいて無線LANの接続を設定する手段と、無線LAN接続されるデジタル機器のWAN側への疎通許否をそのMACアドレスで管理し、前記固有の通信パラメータに基づいて無線LANの接続を設定したデジタル機器のWAN側への疎通を一時的に禁止するWAN疎通管理テーブルと、前記デジタル機器のWAN側への疎通を前記WAN疎通管理テーブルに基づいて制御するフィルタリング制御手段と、前記無線LAN接続の設定に応答して、前記WAN疎通管理テーブルの情報を前記携帯端末へ通知する手段とを具備した。
【００２８】
(2)携帯端末が、前記アクセスポイントから前記WAN疎通管理テーブルを受信する手段と、前記WAN疎通管理テーブルでWAN側への疎通を禁止されているデジタル機器との間で再アソシエーションを試行して当該デジタル機器のMACアドレスを取得する手段と、前記デジタル機器から取得したMACアドレスを前記アクセスポイントへ通知して疎通を要求する手段と、前記再アソシエーションの試行相手を近接のデジタル機器に制限する手段とを具備した。
【００２９】
(3)アクセスポイントがさらに、疎通要求されたMACアドレスのWAN側への疎通が許可されるように前記WAN疎通管理テーブルを更新する手段を具備した。
【発明の効果】
【００３０】
本発明によれば、以下のような効果が達成される。
【００３１】
(1)無線LAN設定の対象となるデジタル機器には、本発明の適用に際して一切の改修が不要なので、簡単接続設定に対応していない汎用(IEEE 802.11規格に準拠)のデジタル機器に対しても無線LAN設定を簡単に行えるようになる。
【００３２】
(2)ユーザに要求される最小限の操作に関しても、その操作が必要なタイミングにおいて具体的な操作内容と共にユーザに提供されるので、ユーザは簡単に設定操作を行えるようになる。
【００３３】
(3)無線LANの接続設定のみならず、無線LANの切断設定も簡単に行えるようになる。
【図面の簡単な説明】
【００３４】
【図１】本発明が適用される無線LANネットワークの構成を示した図である。
【図２】本発明における無線LANの接続設定手順を示したシーケンスフローである。
【図３】WAN疎通管理テーブルの一例を示した図である。
【図４】無線LANの切断設定方法を模式的に表現した図である。
【図５】本発明における無線LANの切断設定手順を示したシーケンスフローである。
【図６】無線LANアクセスポイントの主要部の構成を示した機能ブロック図である。
【図７】携帯端末の主要部の構成を示した機能ブロック図である。
【図８】従来の無線LAN接続の設定操作を説明するための図である。
【図９】従来のアソシエーション確立方法を示したシーケンスフローである。
【図１０】従来の無線LAN切断の設定操作を説明するための図である。
【発明を実施するための形態】
【００３５】
以下、図面を参照して本発明の実施の形態について詳細に説明する。図１は、本発明が適用される無線LANネットワークの主要部の構成を示した図であり、図２は、その一実施形態である無線LANの接続設定手順を示したシーケンスフローである。
【００３６】
図１において、本発明の無線LANネットワークは、WAN側にインターネットが接続された無線LANアクセスポイントAPと、当該アクセスポイントAPを介してインターネットに接続される無線LAN対応の汎用デジタル機器２と、前記デジタル機器２をアクセスポイントAPに無線LAN接続するための設定を補助する携帯端末１とを含んでいる。前記アクセスポイントAPは、同時に複数のネットワーク名(SSID)を管理することができる。
【００３７】
前記携帯端末１は、無線LAN対応の携帯電話、PDAあるいはスマートフォンであり、ここでは携帯端末１が携帯電話である場合を例にして説明する。また、本実施形態ではアクセスポイントAPおよび携帯電話１に予めNFC(Near Field Communication)等の技術を利用して同一のSSIDおよび暗号鍵が設定されており、これらの通信パラメータに基づいて、暗号鍵で保護された無線LAN接続が既に確立されているものとする。
【００３８】
図２を併せて参照し、ステップＳ１において、携帯電話１のユーザが無線LANの接続設定を簡単に行うためのアプリケーション（以下、簡単接続設定プログラム）を起動すると、携帯電話１とアクセスポイントAPとの間で無線LANの接続状態が確認され、アクセスポイントAPに対して、携帯電話１へのサーバプッシュを許可する設定が行われる。前記簡単接続設定プログラムは、携帯電話1の電源起動と同時に自動的に起動しても良い。
【００３９】
本実施形態では、時刻t1において前記簡単接続設定プログラムが携帯電話１で起動されると、時刻t2において、携帯電話１からアクセスポイントAPへプローブ要求が送信され、時刻t3において、アクセスポイントAPからプローブ応答が返信される。このプローブ応答には、利用できる周波数帯域（チャネル）の情報およびネットワーク名(SSID)などの通信パラメータが埋め込まれており、携帯電話１では、このプローブ応答を受信することにより、アクセスポイントAPとの間に無線LANを確立できることを把握できる。時刻t4では、アクセスポイントAPから携帯電話１へのサーバプッシュ機能を実現するために、当該携帯電話１からアクセスポイントAPへHTTPリクエストが送信される。これ以降、アクセスポイントAPから携帯電話１へサーバプッシュ機能により任意のタイミングで要求や命令を送信できるようになる。
【００４０】
ステップＳ２では、アクセスポイントAPから周期的に送信されているビーコンがデジタル機器２により受信される。このビーコンには、アクセスポイントAPとの間に暗号鍵無しで無線LANを一時的に確立でき、かつ携帯電話１を利用して接続設定を行える固有の通信パラメータが、暗号鍵を必要とする無線LANの通信パラメータと共に埋め込まれている。本実施形態では、前記暗号鍵無しで接続できる無線LANのネットワーク名として、例えば「Setup」などの判りやすい名称が付与されている。
【００４１】
ステップＳ３では、デジタル機器２に対して、ユーザにより極めて簡単な無線LAN設定操作が行われる。本実施形態では、図２の時刻t5において、ユーザがデジタル機器２を操作してブラウザを起動し、更に時刻t6において、所定のアドレスへネットワーク接続が試行されると、ここでは無線LANの接続設定が未だ完了していないので、時刻t7では、デジタル機器２のディスプレイに無線LANの接続設定を要求するメッセージが表示される。時刻t8では、前記ビーコンに埋め込まれていた通信パラメータのネットワーク名がデジタル機器２のディスプレイに一覧表示される。
【００４２】
時刻t9において、前記ネットワーク名[Setup]がユーザにより選択されると、ステップＳ４では、暗号鍵を必要としない無線LANが、デジタル機器２とアクセスポイントAPとの間に確立される。本実施形態では、図２の時刻t10において、デジタル機器２からアクセスポイントAPへ認証要求が送信され、時刻t11では、アクセスポイントAPからデジタル機器２へ認証応答が返信される。時刻t12では、デジタル機器２からアクセスポイントAPへアソシエーション要求が送信され、時刻t13では、アクセスポイントAPからデジタル機器２へアソシエーション応答が返信される。
【００４３】
本実施形態では、この時点でデジタル機器２とアクセスポイントAPとの間に無線LAN接続が確立されるが、この暗号鍵無しの無線LANで接続されるデジタル機器２については、そのMACアドレスが、後述するWAN疎通管理テーブル上でWAN側への疎通禁止扱い（MACアドレスフィルタリング）とされる。したがって、この時点ではデジタル機器２はインターネットへの接続を許可されない。
【００４４】
前記アクセスポイントAPは、前記デジタル機器２との間に前記暗号鍵を必要としない無線LANの接続が確立されたことを検知すると、ステップＳ５において、前記携帯電話１へ無線LAN通信によりWAN疎通管理テーブルの情報を送信する。このWAN疎通管理テーブルには、デジタル機器のMACアドレスごとに、WAN側への疎通の許否が登録されており、ここでは、図３(a)に示したように、前記デジタル機器２のMACアドレス[△○×]については疎通が禁止されている。
【００４５】
前記携帯電話１では、前記WAN疎通管理テーブルの情報が受信されると、ステップＳ６において、当該携帯電話１を前記デジタル機器２に近接させる旨のメッセージが、そのディスプレイに表示される。ステップＳ７において、ユーザが前記メッセージに応答して携帯電話１をデジタル機器２にかざすと、ステップＳ８では、前記WAN疎通管理テーブルにおいてWAN側への疎通が禁止されている全てのMACアドレス（前記デジタル機器のMACアドレス[△○×]を含む）を宛先として前記携帯電話１から順次かつ連続的に送信されている無線LAN標準のアソシエーション解除メッセージが、前記デジタル機器２において受信される。
【００４６】
この際、携帯電話１はメッセージのMACフレームに記述されるMACアドレスをアクセスポイントAPのMACアドレスに書き換えることで疑似的にアクセスポイントAPとして振る舞う。また、本実施形態では、前記アソシエーション解除メッセージが近接のデジタル機器２のみで受信されるように、その電波強度が常時よりも低く抑えられ、例えば最小レベルに制限されている。
【００４７】
ステップＳ９では、前記デジタル機器２が、自身のMACアドレスが記述されたアソシエーション解除メッセージの受信に応答して、自身のMACアドレス[△○×]の記述された再アソシエーション要求メッセージを前記携帯電話１へ返信する。前記携帯電話１では、前記返信された再アソシエーション要求メッセージから前記デジタル機器２のMACアドレスが抽出され、ステップＳ１０において、当該MACアドレスの記述された疎通要求がアクセスポイントAPへ送信される。
【００４８】
前記アクセスポイントAPは、前記携帯電話１から疎通要求を受信すると、ステップＳ１１において、前記WAN疎通管理テーブルにおいて当該疎通要求されたMACアドレスと対応付けられているエントリの疎通許否を、図３(b)に示したように「許可」に書き換える。これにより、前記MACアドレス[△○×]に対するフィルタリングが解除されるので、これ以降、デジタル機器２はアクセスポイントAPを介してWAN側のインターネットへ接続できるようになる。
【００４９】
次いで、以上のようにして確立された無線LAN接続の切断方法について説明する。図４は、無線LANの切断設定方法を模式的に表現した図であり、図５は、その一実施形態の動作を示したシーケンスフローである。ここでは、アクセスポイントAPと携帯電話１およびデジタル機器２との間に無線LANが確立されている状態から説明を始める。
【００５０】
携帯電話１では、無線LANの切断設定アプリケーションが予め起動されており、ステップＳ２１において、ユーザが無線LAN切断を設定したいデジタル機器２に携帯電話１をかざし、更にステップＳ２２において、所定の時間以上継続して携帯電話１を振ると、これが携帯電話１に内蔵されたモーションセンサで検知されて切断要求と判定される。
【００５１】
ステップＳ２３では、携帯電話１に既登録のWAN疎通管理テーブルが参照され、登録されているMACアドレスの全てに対して、電波強度を最小に抑えて無線LAN標準のアソシエーション解除メッセージが順次かつ連続的に送信される。この際も、携帯電話１はメッセージのMACフレームに記述されるMACアドレスをアクセスポイントAPのMACアドレスに書き換えることで疑似的にアクセスポイントAPとして振る舞う。ステップＳ２４では、前記アソシエーション解除メッセージを受信したデジタル機器２が、これに応答して自身のMACアドレスが記述された再アソシエーション要求メッセージを返信する。
【００５２】
ステップＳ２５では、携帯電話１が前記再アソシエーション要求メッセージの受信に応答して、その送信元（デジタル機器２）のMACアドレスを含む切断要求をアクセスポイントAPへ無線LANで送信する。ステップＳ２６では、アクセスポイントAPが前記切断要求の受信に応答してWAN疎通管理テーブルを更新する。すなわち、WAN疎通管理テーブルに既登録のエントリの中から、前記切断要求されたMACアドレスのフィルタリングを更新し、WANへの疎通を拒否設定に動的に書き換える。
【００５３】
ステップＳ２７では、アクセスポイントAPが前記携帯電話１から受け取ったMACアドレス宛て（デジタル機器２）に認証解除メッセージを送信する。ステップＳ２８では、デジタル機器２が前記認証解除メッセージの受信に応答して、自身に設定されている無線 LANの設定内容を削除する。
【００５４】
図６は、前記無線LANアクセスポイントAPの構成を示した機能ブロック図であり、図７は、前記携帯電話１の構成を示した機能ブロック図である。ここでは、本発明の説明に不要な構成は図示が省略されている。なお、デジタル機器２は汎用の無線LAN搭載機であって、本発明に固有の構成は有していないので、その説明は省略する。
【００５５】
図６のアクセスポイントAPにおいて、主制御部４４は、LAN側インターフェース４１および無線制御部４２を介して無線LAN対応の携帯電話１やデジタル機器２と無線LAN接続され、WAN側インターフェース４３を介してインターネットに有線接続される。前記無線制御部４２は、暗号化された受信データを復号し、あるいは送信データを暗号化する。
【００５６】
第１通信パラメータ記憶部４５には、暗号鍵の設定が必要な無線LANの通信パラメータとして、通信帯域、暗号方式、ネットワーク名(SSID)、暗号鍵(WEPキー)などが記憶されている。第２通信パラメータ記憶部４６には、暗号鍵の設定が不要な無線LANの通信パラメータとして、通信帯域やネットワーク名などが記憶されている。WAN疎通管理テーブル４７には、前記WAN疎通管理テーブルの情報が記憶される。
【００５７】
前記主制御部４４において、ビーコン送信部４４１は、前記各通信パラメータの埋め込まれたビーコンを定期的に送信する。フィルタリング制御部４４２は、前記WAN疎通管理テーブル４７に基づいて、無線LAN接続されたデジタル機器２のWAN側への疎通許否をMACアドレスフィルタリングにより制御する。無線LAN設定部４４３は、各デジタル機器２との無線LANの接続設定を行う無線LAN接続設定部４４３ａおよび各デジタル機器２との無線LANの切断設定を行う無線LAN切断設定部４４３ｂを含む。前記無線LAN接続設定部４４３ａは、デジタル機器２との間に、前記固有の通信パラメータに基づく暗号鍵無しの無線LANが接続設定されると、当該デジタル機器２のMACアドレスを前記WAN疎通管理テーブル４７に登録する。これにより、当該デジタル機器２は、MACアドレスフィルタリングの対象となってWAN側への疎通が一時的に禁止される。
【００５８】
フィルタリング情報通知部４４４は、前記WAN疎通管理テーブル４７に記述されているフィルタリング情報を前記携帯電話１へ送信する。疎通要求受信部４４５は、前記携帯電話１から送信される疎通要求を受信して処理する。切断要求受信部４４６は、携帯電話１から送信される切断要求を受信して処理する。解除要求部４４７は、前記切断要求されたMACアドレスのデジタル機器２へ認証解除メッセージを送信する。管理テーブル更新部４４８は、前記受信した疎通要求に記述されているMACアドレスに対するフィルタリングが解除されるように、また前記受信した切断要求に記述されているMACアドレスに対するフィルタリングが再開されるように、前記WAN疎通管理テーブル４７を更新する。
【００５９】
図７の携帯電話１において、主制御部５４は、LAN側インターフェース５１、電波強度制御部５２および無線制御部５３を介して前記アクセスポイントAPやデジタル機器２と無線LAN接続される。前記電波強度制御部５２は、前記アクセスポイントAPとして振る舞って前記デジタル機器２との間にアソシエーションを確立する際に、無線LAN通信の電波強度を、当該アソシエーション以外の常時よりも低く抑え、例えば最小レベルに制限する。前記無線制御部５３は、暗号化された受信データを復号し、あるいは送信データを暗号化する。
【００６０】
通信パラメータ記憶部５５には、アクセスポイントAPやデジタル機器２との間に確立された無線LANの通信パラメータが記憶される。WAN疎通管理テーブル５６には、前記アクセスポイントAPから受信したWAN疎通管理テーブルの情報が記憶される。ディスプレイ５７には、各種のメッセージや情報が視覚的に表示される。
【００６１】
前記主制御部５４において、サーバプッシュ機能設定部５４１は、前記アクセスポイントAPに対して自端末へのサーバプッシュ機能を設定する。本実施形態では、HTTPリクエストを予めアクセスポイントAPへ送信することでサーバプッシュ機能が実現される。アソシエーション試行部５４２は、前記デジタル機器２に対してアクセスポイントAPとして振る舞ってアソシエーション解除メッセージの送信および再アソシエーション要求メッセージの受信を試行することで当該デジタル機器２のMACアドレスを取得する。疎通要求部５４３は、WAN側への疎通禁止を解除させたいデジタル機器２のMACアドレスが記述された疎通要求を前記アクセスポイントAPへ送信する。
【００６２】
切断要求操作検知部５４４は、携帯電話１に加えられた加速度をモーションセンサ５４４ａで検知し、予め定義されている切断要求操作に対応した加速度が所定の時間以上継続して検知されると、これを切断要求操作と判定する。
【００６３】
切断要求部５４５は、前記切断要求操作が検知されると、前記アソシエーション試行部５４２に対して前記デジタル機器のMACアドレスを要求する。前記アソシエーション試行部５４２は、当該切断要求操作に応答して、前記デジタル機器２に対してアクセスポイントAPとして振る舞ってアソシエーション解除メッセージの送信および再アソシエーション要求メッセージの受信を試行することで当該デジタル機器２のMACアドレスを取得する。前記切断要求部５４５は、前記取得されたデジタル機器２のMACアドレスの記述された切断要求をアクセスポイントAPへ送信する。
【００６４】
なお、上記の実施形態では、デジタル機器からMACアドレスを取得するための再アソシエーションの試行相手を近接のデジタル機器に制限するために電波強度制御部５２を設け、この再アソシエーション試行時の電波強度を当該再アソシエーション試行時以外の無線LAN通信時よりも低下させるものとして説明した。しかしながら、本発明はこれのみに限定されるものではなく、前記電波強度制御部５２に代えて、前記再アソシエーションにおける再アソシエーション要求メッセージの受信電波強度を計測する計測部と、受信電波強度の計測結果を所定の閾値と比較する比較部とを設け、受信電波強度が閾値を超える試行相手が近接のデジタル機器２と推定し、その再アソシエーションのみを有効として再アソシエーション要求メッセージからMACアドレスを抽出するようにしても良い。
【符号の説明】
【００６５】
１…携帯端末（携帯電話）、２…無線LAN対応のデジタル機器、４１，５１…無線LANインターフェース、４２，５３…無線制御部、４３…WANインターフェース、４４，５４…主制御部、４５，４６，５５…通信パラメータ記憶部、４７，５６…WAN疎通管理テーブル、５２…電波強度制御部、５７…ディスプレイ
【図１】
0005436345.tif 000002
【図２】
0005436345.tif 000003
【図３】
0005436345.tif 000004
【図４】
0005436345.tif 000005
【図５】
0005436345.tif 000006
【図６】
0005436345.tif 000007
【図７】
0005436345.tif 000008
【図８】
0005436345.tif 000009
【図９】
0005436345.tif 000010
【図１０】
0005436345.tif 000011